(57)【要約】【課題】ログオンしたオペレータと承認行為をしたオペレータが別の場合、承認行為を行ったオペレータではなく、ログオンしたオペレータのマークが付与されてしまい、結果を承認した者を正確に記録することに関して限界があった。  本発明は、分析結果を承認したオペレータを正確に記録できる自動分析システムを提供することを目的とする。【解決手段】本発明は、生体試料の分析結果を表示する結果表示部と、結果承認前に承認者のＩＤを確認する手段と、前記結果表示部に、承認者ＩＤを同時表示する手段を備える。【選択図】  図４
2009250656.tif 000002
【特許請求の範囲】
【請求項１】
生体試料の分析を行う分析部と、分析に関する内容を表示する表示部を有する自動分析システムにおいて、
前記表示部に表示される分析結果表示画面と、前記分析結果表示画面に示されている分析結果を承認する前に承認者のＩＤを確認する手段を備えたことを特徴とする自動分析システム。
【請求項２】
請求項１記載の自動分析システムにおいて、
前記承認者のＩＤを確認する手段は、承認者の認証処理を行うダイアログボックスを含む入力画面を有することを特徴とする自動分析システム。
【請求項３】
請求項１記載の自動分析システムにおいて、
前記分析結果表示画面に、前記承認者のＩＤを同時表示する手段を備えた自動分析システム。
【請求項４】
請求項３記載の自動分析システムにおいて、
前記承認者のＩＤに、分析結果状態を識別できる表示手段を備え、２つの情報（承認者ＩＤと分析結果）を同時に表示可能とした自動分析システム。
【請求項５】
生体試料の分析を行う分析部と、分析に関する内容を表示する表示部を有する自動分析システムにおいて、
承認者に認証された分析結果表示画面の表示では、分析結果を承認したオペレータ以外のオペレータまたは分析オペレータ以外のオペレータには患者個人情報を伏せることを特徴とする自動分析システム。
【請求項６】
生体試料の分析を行う分析部と、分析に関する内容を表示する表示部を有する自動分析システムにおいて、
分析結果を示す分析結果表示画面と、分析結果を承認する承認者のＩＤおよびパスワードを入力する分析結果承認画面を併せて前記表示部に示すことを特徴とする自動分析システム。
【請求項７】
請求項６記載の自動分析システムにおいて、
前記分析結果承認画面は、クリックで作動する確定ボタン、取消ボタンを有することを特徴とする自動分析システム。
【発明の詳細な説明】
【技術分野】
【０００１】
本発明は、血液、尿など生体試料の自動分析システムに係り、特に分析結果の承認状況を表示する機能を備えた自動分析システムに関する。
【背景技術】
【０００２】
従来、生体試料の分析結果を表示し、結果の承認状況を把握する方法としては、例えば臨床検査情報システムに関する、特許文献１に記載されている技術が知られている。上記従来技術によると、あらかじめオペレータ毎にＩＤとそれに対応するレベル分けされた権限を登録し、オペレータがシステムにログオンをすることで、オペレータに割り当てられた権限が与えられ、オペレータが結果の承認行為を行った際、権限に応じた承認マークが結果に付与、表示される。
【０００３】
【特許文献１】特開２００１−７６０６０号公報
【発明の開示】
【発明が解決しようとする課題】
【０００４】
上記従来技術においては、ログオンしたオペレータと承認行為をしたオペレータが別だった場合、承認行為を行ったオペレータではなく、ログオンしたオペレータのマークが付与されてしまうため、結果を承認したオペレータを正確に記録することに関して限界があった。
【０００５】
また、同一レベルの権限を持つオペレータが複数いた場合、承認者を正確に示すためには、コメントなど補助情報の入力が必要で、承認操作の手間が増え、検査業務の負担が大きかった。一方、権限が重ならないようレベルを細分化した場合は、マークの種類が増え、承認者が分かりづらくなっていた。
【０００６】
本発明は、上記の課題に対処し、分析結果を承認したオペレータを正確に記録できる自動分析システムを提供することを目的とする。
【０００７】
また、本発明は多量の結果を承認する場合でも、オペレータの負担の少ない、操作性のよい自動分析システムを提供することを目的とする。
【課題を解決するための手段】
【０００８】
本発明による自動分析システムは、表示部に表示される分析結果表示画面と、分析結果表示画面で示されている分析結果を承認する前に承認者のＩＤを確認する手段を備えたことを特徴とする。
【発明の効果】
【０００９】
本発明によれば、オペレータの作業量を増やすことなく、結果の承認者を正確に記録することが可能な自動分析システムを提供することができる。
【発明を実施するための最良の形態】
【００１０】
以下、発明の実施例を図面を用いて説明する。
【００１１】
図１は自動分析システムの概要図である。
分析装置１０１は検体管理機能をもつ操作部１０２と検体分析機能を持つ分析部１０３をＬＡＮなどのネットワーク１０４で接続することで構成される。また、操作部１０２とホスト１０５がＲＳ２３２Ｃなどのネットワーク１０６で接続される。
【００１２】
オペレータは、操作部１０２、またはホスト１０５を使用して、分析部１０３への分析依頼と、分析された結果の評価を行う。分析部１０３は依頼情報に従い、検体の分析を行い、結果を操作部１０２へ出力する。
【００１３】
図２は自動分析システム構成を示すブロック図である。
操作部１０２は分析装置の情報管理を行う管理部２０６と、分析制御指示を行う制御部２０７と、分析部１０３との通信管理を行う通信部２０８と、分析依頼や結果、パラメータを記憶、保管する記憶部２０５と、ホスト１０５との通信管理を行う通信部２０１と、分析依頼や結果、パラメータを表示する表示部２０２と、キーボード２０３とマウス２０４とから構成される。
【００１４】
分析部１０３は、通信部２０９と、通信部２０９を経由して受け取った分析依頼情報に基づき、検体の搬送制御、分注制御を行う制御部２１０と、前記依頼情報に基づき分注された検体に定められたタイミングで試薬を吐出する試薬部２１１と、前記依頼情報に基づき検体の反応、計測を行う反応部２１２と、前記依頼情報に基づき、定められた演算処理を行う処理部２１３とから構成される。演算処理された結果は、通信部２０９を経由して、操作部１０２へ送られ、記憶部２０５に格納される。
【００１５】
図３は表示部２０２に表示される分析に関する表示画面を示し、システム状態やログオンＩＤを表示する状態表示画面３０１と、分析結果表示画面３０２から構成される。
【００１６】
分析結果表示画面３０２は、検体画面部３０３と結果画面部３０４から成り、検体画面部３０３は、検体をマーキングする選択欄３０５と１検体の分析結果をすべて確定、承認した場合に承認者ＩＤを表示する承認欄３０６と、検体の分析進捗状況を表示する状況欄３０７と、検体ＩＤ欄３０８と、検体種別欄３０９と、患者氏名欄３１０と、依頼元欄３１１と、分析日付欄３１２とから構成される。結果画面部３０４は、項目３１３と結果３１４とから成り、検体画面部３０３のカーソル位置に示された検体の分析結果を表示する。
【００１７】
また、分析結果表示画面３０２は、検体の詳細属性を表示する属性ボタン３１５と、検索ボタン３１６と、結果をホスト１０５や外部装置へ出力する送信ボタン３１７と、確定した結果を承認する承認ボタン３１８を有する。送信ボタン３１７や承認ボタン３１８は、選択欄３０５で複数選択された場合でも一括して処理可能である。
【００１８】
図４は、承認ボタン３１８における分析結果承認ダイアログ画面４０１を示し、承認者を受付けるオペレータＩＤ４０２と、承認者のパスワードを受付けるパスワード４０３と、承認者を認証し、承認処理を続行する確定ボタン４０５と、承認作業を取り消す取消ボタン４０４とから構成される。
【００１９】
オペレータは、検体画面部３０３でカーソルを移動させながら、結果画面部３０４で結果を確認し、必要であれば再検を行い、結果を確定させて、選択欄３０５で承認すべき検体をまとめて選択し、承認ボタン３１８をマウス２０４でクリックし、オペレータＩＤ４０２、パスワード４０３を入力し、選択した検体を一括して承認する。承認後は、承認欄３０６に認証した承認者ＩＤを表示し、選択欄３０５の選択マークを消去する。
【００２０】
このように、分析結果表示画面３０２に分析結果承認ダイアログ画面４０１を併せて表示し、承認オペレータは分析結果の評価確認をする画面上でオペレータＩＤ４０２、パスワード４０３を入力できるので、オペレータの負担は少なく、多くの分析結果の承認を的確に容易に処理できる操作性のよい自動分析システムを提供できる。
【００２１】
また、分析結果承認ダイアログ画面４０１（入力画面）は、承認者のＩＤの確認する手段であり、分析結果表示画面３０２に、承認者のＩＤを同時に表示する手段にも含まれる。さらに、分析結果承認ダイアログ画面４０１（入力画面）と分析結果表示画面３０２は、承認者のＩＤに、分析結果状態を識別できる表示手段を備え、２つの情報（承認者ＩＤと分析結果）を同時に表示可能とした構成に相当する。
【００２２】
このような手段を用いて、分析結果の承認に際し、承認者のオペレータＩＤ、パスワードが入力されるので、提供される分析結果の情報を受ける側では承認オペレータが特定でき、分析結果の情報に対する信頼性が向上する。
【００２３】
図５は、本実施例における、記憶部２０５に格納される、オペレータＩＤ登録テーブル５０１であり、オペレータＩＤ５０２と、氏名５０３と、氏名略称５０４と、オペレータレベル５０５と、パスワード５０６とから構成される。
【００２４】
図６は、本実施例における、分析結果承認ダイアログ画面４０１が、オペレータＩＤ登録テーブル５０１に基づいて承認者を受付ける処理と、分析結果表示画面３０２が、オペレータＩＤを表示する場合に、承認された結果の分析状態をチェックし、検体画面部３０３のリストに結果状態を識別可能とするための１検体分の処理フローである。
【００２５】
分析結果承認ダイアログ画面４０１は、受付けたオペレータＩＤ４０２とパスワード４０３が、オペレータＩＤ登録テーブル５０１に登録されているか、否かを判定する（ステップ６０１）。
【００２６】
ステップ６０１において、ＩＤの認証が行えた場合は、分析結果承認ダイアログ画面４０１は、認証完了メッセージを管理部２０６に送り、管理部２０６は、記憶部２０５の検体情報に承認確定フラグを書込む（ステップ６０２）。
【００２７】
ステップ６０２において、承認確定させた検体に対し、管理部２０６は、分析結果にアラームがついていたか、否かを判定する（ステップ６０３）。
【００２８】
ステップ６０３において、アラーム付きと判定した場合、管理部２０６は、再検した検体か、否かを判定する（ステップ６０４）。
【００２９】
ステップ６０４において、再検した検体と判定した場合、管理部２０６は、検体情報に再検済み承認フラグを書込む（ステップ６０６）。再検されていない場合は、検体情報にアラーム付き承認フラグを書込む（ステップ６０５）。
【００３０】
管理部２０６は、承認完了メッセージを結果表示画面３０２に送り、分析結果表示画面３０２は、検体画面部３０３の承認欄３０６にオペレータＩＤを表示する。その際、検体情報の再検済み承認フラグ、またはアラーム付き承認フラグを参照し、ついているフラグに基づいてオペレータＩＤの表示文字色を変更する（ステップ６０７）。ステップ６０７において、文字色ではなく、背景色の変更や、記号を付加して表示してもよい。
【００３１】
図７は、分析結果表示画面３０２において、検体画面部３０３の承認欄３０６の承認オペレータＩＤと、状態表示画面３０１で示されるように、ログオンしたオペレータのＩＤが異なっていた場合、患者氏名３１０が「＊＊＊＊＊＊」でマスク表示されることと、属性ボタン３１５がクリックできないようにマスク表示されることを示す。
【００３２】
図８は、本実施例における、分析結果表示画面３０２が患者個人情報の表示、非表示（マスク表示）を制御する処理フローである。
【００３３】
分析結果表示画面３０２は、画面初期表示時、検体画面部３０３に表示するための検体情報を記憶部２０５から取得する（ステップ７０１）。
【００３４】
分析結果表示画面３０２は、画面初期表示時、ログオンしたオペレータのＩＤを管理部２０６から取得する（ステップ７０２）。
【００３５】
分析結果表示画面３０２は、取得した検体情報のなかの、結果承認ＩＤとログオンＩＤとが一致しているか、否かの判定を行う（ステップ７０３）。
【００３６】
ステップ７０３において、オペレータＩＤが一致していれば、患者氏名３１０を表示する（ステップ７０４）。一致していなければ、表示を「＊＊＊＊＊＊」でマスクする（ステップ７０５）。属性ボタンの表示、非表示は、検体画面部３０３上のカーソルが指し示す検体の承認ＩＤとログオンＩＤとの比較をし、処理される。
【００３７】
１検体分の処理が終わったらステップ７０３に戻り、最後の検体まで処理を繰り返す（ステップ７０６）。
【００３８】
また、承認者に認証された分析結果表示画面は、特に制限のない限りオペレータは見ることができが、分析オペレータ以外のオペレータには患者個人情報（氏名）に関してはマスクすることも可能である。患者個人情報（氏名）の開示を伏せて個人情報の保護を図ることができる。
【図面の簡単な説明】
【００３９】
【図１】本発明の実施例に係るもので、自動分析システムの概要図。
【図２】本発明の実施例に係るもので、自動分析システム構成を示すブロック図。
【図３】本発明の実施例に係るもので、結果表示画面。
【図４】本発明の実施例に係るもので、結果承認ダイアログ画面。
【図５】本発明の実施例に係るもので、オペレータＩＤ登録テーブル。
【図６】本発明の実施例に係るもので、結果承認ダイアログ画面４０１が、オペレータＩＤ登録テーブル５０１に基づいて承認者を受付ける処理フロー。
【図７】本発明の実施例に係るもので、患者氏名がマスク表示されている結果表示画面。
【図８】本発明の実施例に係るもので、結果表示画面３０２が患者個人情報の表示、非表示を制御する処理フロー。
【符号の説明】
【００４０】
１０１…分析装置、１０２…操作部、１０３…分析部、１０５…ホスト、３０１…結果表示画面、３０５…選択欄、３０６…承認欄、３１０…患者氏名、３１５…属性ボタン、３１８…承認ボタン、４０１…結果承認ダイアログ画面、４０２…オペレータＩＤ、４０３…パスワード、５０１…オペレータＩＤ登録テーブル。
【図１】
2009250656.tif 000003
【図２】
2009250656.tif 000004
【図３】
2009250656.tif 000005
【図４】
2009250656.tif 000006
【図５】
2009250656.tif 000007
【図６】
2009250656.tif 000008
【図７】
2009250656.tif 000009
【図８】
2009250656.tif 000010